(57)【要約】【課題】収納容器の幅を超えるガラス板を収納する場合に、ガラス板が傷付にくく、かつガラス板も十分に積載できるガラス板梱包体を提供する。【解決手段】ガラス板梱包体１は、収納容器１０内に複数のガラス板２０を重ねたガラス板積層体２１を収納するもので、収納容器１０は、台座１１と、辺１２と、開口部１３と、被覆部材１４と、収納容器１０内に収納される支持台３０とを備える。支持台３０の２つの傾斜面３１それぞれにガラス板積層体２１が支持される。そして、複数のガラス板２０のいずれかの辺２２は、収納容器１０のいずれの辺１２よりも大きく、ガラス板積層体２１の一部は、開口部１３から突出している。ガラス板積層体２１の先端を開口部１３から突出させることで、ガラス板２０への傷付けを防止すると共に、ガラス板２０を十分積載できる。【選択図】図１
0003211518.tif 000002
【実用新案登録請求の範囲】
【請求項１】
収納容器と、
複数のガラス板を重ねたガラス板積層体と、
前記ガラス板積層体を支持すると共に、前記収納容器の内部空間に配置された支持台と、を備え、
前記複数のガラス板のいずれかの辺は、前記収納容器のいずれの辺よりも大きく、
前記収納容器は開口部を備え、
前記ガラス板積層体の一部は、前記開口部から突出する、
ガラス板梱包体。
【請求項２】
前記支持台は、任意の断面において、２つの傾斜面が対向する楔形状を有し、
前記２つの傾斜面それぞれにおいて、前記ガラス板積層体を支持する請求項１に記載のガラス板梱包体。
【請求項３】
前記支持台の一部は、前記開口部から突出する請求項１又は２に記載のガラス板梱包体。
【請求項４】
前記楔形状の先端角度は、２０°以上６０°以下である請求項２に記載のガラス板梱包体。
【請求項５】
前記開口部及び前記ガラス板積層体の一部は、被覆部材で覆われる請求項１から４のいずれか１項に記載のガラス板梱包体。
【請求項６】
前記開口部から突出する前記ガラス板積層体の一部又は前記開口部から突出する前記支持台の一部のうち、最も突出した部分と、任意の断面において前記開口部を形成する両端部とを結ぶ二つの線の間の角度が、１００°以上１７０°以下である請求項５に記載のガラス板梱包体。
【請求項７】
前記被覆部材は、水との接触角が１１０°以上である請求項５又は６に記載のガラス板梱包体。
【請求項８】
前記被覆部材は、水に対する滑落角が１０°以上である請求項５から７のいずれか１項に記載のガラス板梱包体。
【請求項９】
前記被覆部材のＪＩＳ  Ｚ０２０３（２０００年）に準拠する透湿度が、０．５（ｇ／ｍ２・２４ｈｒ）以下である請求項５から８のいずれか１項に記載のガラス板梱包体。
【考案の詳細な説明】
【技術分野】
【０００１】
本考案は、ガラス板梱包体に関する。
【背景技術】
【０００２】
従来、幅方向の寸法が車両の横幅を超える建材用パネルを、車両の平面状の荷台に積載して輸送する方法が、知られている（例えば特許文献１）。
【０００３】
特許文献１は、建設用パネルの長尺広巾化に伴い傾斜してパネルを積載して輸送するパネル輸送用架台である。そして、台座部を荷物輸送用車両の荷台上に積載し、支枠を軸線のまわりに回動させて傾斜させ、支脚の下端部を台座に係合させれば、支枠は傾斜状態に保持されるので、長手方向を支枠の長手方向に向けて支枠上に支持したパネルを、パネル巾方向に傾斜させた状態で輸送できることが開示されている。
開示されている。
【先行技術文献】
【特許文献】
【０００４】
【特許文献１】特開平０６−２１９２０５号公報
【考案の概要】
【考案が解決しようとする課題】
【０００５】
特許文献１に記載されたパネル輸送用架台では、一度、平板に車両の荷台に平行な状態で積載した後に、角度を傾斜させるため、車両の荷台がガラス板のはみ出しを許容する構造でなければならない。また、収納容器の幅がガラス板のはみ出しを許容しない構造の場合、ガラス板を収納する際に収納容器と接触するなどして、ガラス板が割れる恐れがあるという課題がある。
【０００６】
本考案は、収納容器の幅を超えるガラス板を収納する場合に、ガラス板が傷付にくく、かつガラス板も十分に積載できるガラス板梱包体を提供する。
【課題を解決するための手段】
【０００７】
本考案のガラス板梱包体は、収納容器と、複数のガラス板を重ねたガラス板積層体と、前記ガラス板積層体を支持すると共に、前記収納容器の内部空間に配置された支持台と、を備え、前記複数のガラス板のいずれかの辺は、前記収納容器のいずれの辺よりも大きく、  前記収納容器は開口部を備え、前記ガラス板積層体の一部は、前記開口部から突出する。
【考案の効果】
【０００８】
本考案によれば、ガラス板積層体の先端を開口部から突出させることで、ガラス板への傷付けを防止すると共に、ガラス板を十分積載できるガラス板梱包体を提供することができる。
【図面の簡単な説明】
【０００９】
【図１】本考案に係るガラス板梱包体の一例を示す概念図。
【考案を実施するための形態】
【００１０】
以下、図面を用いて、本考案に係るガラス板梱包体の具体的な実施の形態について詳述する。
【００１１】
図１は、本考案に係るガラス板梱包体の一例を示す概念図である。図１に基づいてガラス板梱包体を詳述する。
【００１２】
本実施形態のガラス板梱包体１は、収納容器１０内に複数のガラス板２０を重ねたガラス板積層体２１を収納するもので、収納容器１０は断面略四角形状をなし、収納容器１０の下部に配置される台座１１と、側方を覆う辺１２と、上部が開放された開口部１３とを備える。そして、開口部１３及びガラス板積層体２１の一部は、例えばビニールシートなどにより構成された被覆部材１４で覆われる。
【００１３】
また、断面略三角形状の支持台３０が、収納容器１０の内部空間に配置されている。支持台３０は、２つの傾斜面３１を備え、傾斜面３１は傾斜面３１同士が対向する楔形状を有している。支持台３０の２つの傾斜面３１にはそれぞれガラス板積層体２１が載置支持される。
なお、傾斜面３１は、２つが対向する楔形状でなくてもよく、片面のみ傾斜面３１で、他方面はガラス板２０を積載しない構造であってもよい。
【００１４】
支持台３０は、収納容器１０の開口部１３から、または、収納容器１０の辺１２の開口（扉付き）から収納容器１０に挿入される。また、ガラス板積層体２１の間にはガラス合紙を挟んでいても良い。
【００１５】
支持台３０の先端近傍は、収納容器１０の開口部１３から突出し、支持台３０に支持される。複数のガラス板２０は、所定の長さＬを有するガラス板２０の辺２２を備え、辺２２の長さＬは、収納容器１０の辺１２の長さＤよりも大きく形成されているため、ガラス板積層体２１の先端部は開口部１３から突出している。
【００１６】
ガラス板梱包体１においては、ガラス板積層体２１および支持台３０を四方八方が取り囲まれた収納容器１０に収納する場合、ガラス板２０の接触によるキズや破損を生じやすいが、本実施形態では、ガラス板積層体２１の先端を開口部１３から突出させることで、ガラス板２０への傷付けを防止すると共に、ガラス板２０を十分積載できるガラス板梱包体１を提供している。
【００１７】
また、支持台３０は、２つの傾斜面３１が対向する楔形状を有しており、片側面だけで使うよりも両面が使えることでガラス板２０の積載量を増やすことができる。
【００１８】
そして、支持台３０の一部を開口部１３から突出することで、ガラス板積層体２１の端部までしっかりと支持でき、ガラス板２０の撓みや割れを防止することができる。
【００１９】
また、楔形状の先端角度θ１は、２０°以上６０°以下であることが望ましい。この角度の範囲であれば、ガラス板２０の転倒を防止しつつ、ガラス板２０の積載量を確保することができる。
【００２０】
開口部１３から突出するガラス板積層体２１の一部又は開口部１３から突出する支持台３０の一部のうち、最も突出した部分と、任意の断面において開口部１３を形成する両端部とを結ぶ二つの線の間の角度θ２が、１００°以上１７０°以下であることが望ましい。この角度の範囲であれば、被覆部材１４の上面に溜まる可能性のある雨水などが被覆部材１４を伝わって流れ落ちやすくなる。
【００２１】
また、被覆部材１４は、水との接触角が１１０°以上であることが望ましい。接触角が１１０°以上であると雨水などが被覆部材１４を伝わって流れ落ちやすくなる。
【００２２】
そして、被覆部材１４は、水に対する滑落角が１０°以上であることが望ましい。滑落角が１０°以上であると雨水などが被覆部材１４を伝わって流れ落ちやすくなる。
【００２３】
また、被覆部材１４のＪＩＳ  Ｚ０２０３（２０００年）に準拠する透湿度が、０．５（ｇ／ｍ２・２４ｈｒ）以下であることが望ましい。内部空間の湿度が高くなると、ガラス板２０間に介在されているガラス合紙からの汚れの成分が、ガラス板２０に転写しやすくなるが、透湿度が０．５（ｇ／ｍ２・２４ｈｒ）以下であると、汚れの転写を防止できる。
【００２４】
尚、本考案は、上述した実施形態に限定されるものではなく、適宜、変形、改良、等が可能である。その他、上述した実施形態における各構成要素の材質、形状、寸法、数値、形態、数、配置箇所、等は本考案を達成できるものであれば任意であり、限定されない。
【産業上の利用可能性】
【００２５】
本考案のガラス板梱包体は、収納容器の幅を超えるガラス板を収納して、ガラス板が傷付にくく、かつガラス板も十分に積載できることを要求する分野に好適に用いられる。
【符号の説明】
【００２６】
１  ガラス板梱包体
１０  収納容器
１１  台座
１２  辺
１３  開口部
１４  被覆部材
２０  ガラス板
２１  ガラス板積層体
２２  辺
３０  支持台
３１  傾斜面
【図１】
0003211518.tif 000003